(57)【要約】【課題】粘稠性を有する液体状の化粧料を掬って、全身に塗るのに適した化粧料用スパチュラを提供すること。【解決手段】化粧料用スパチュラ１は、三角形状の薄板から成り、３つの角を板面と平行な方向にそれぞれ丸めて、３つの小径凸円弧部２、３、４を設け、全周を板厚方向に丸めている。小径凸円弧部２、３、４のうち、いずれかの小径凸円弧部を把持して、その他の小径凸円弧部のいずれかにより、粘稠性を有する液体状の化粧料を掬って、顔などの複雑な凹凸があって面積の狭い部位に化粧料を塗る。また、３つの辺５、６、７のいずれかにより、腕や脚やボディなどの面積の広い部位に化粧料を塗る。【選択図】図１
0003174503.tif 000002
【実用新案登録請求の範囲】
【請求項１】
三角形状の薄板から成り、
３つの角を板面と平行な方向にそれぞれ丸めて、３つの小径凸円弧部を設け、
全周を板厚方向に丸めた、ことを特徴とする化粧料用スパチュラ。
【請求項２】
請求項１に記載の化粧料用スパチュラにおいて、
少なくとも一辺を板面と平行な方向に湾曲させて、大径凹円弧部を設けた、ことを特徴とする化粧料用スパチュラ。
【請求項３】
請求項１または請求項２に記載の化粧料用スパチュラにおいて、
最も長い辺に前記大径凹円弧部を設けた、ことを特徴とする化粧料用スパチュラ。
【請求項４】
請求項１ないし請求項３のいずれかに記載の化粧料用スパチュラにおいて、
前記大径凹円弧部を設けていない二辺が成す角度を鈍角にした、ことを特徴とする化粧料用スパチュラ。
【請求項５】
請求項１ないし請求項４のいずれかに記載の化粧料用スパチュラにおいて、
前記３つの小径凸円弧部の曲率半径を異ならせた、ことを特徴とする化粧料用スパチュラ。
【請求項６】
請求項１ないし請求項５のいずれかに記載の化粧料用スパチュラにおいて、
前記大径凹円弧部を板厚方向へ丸める場合の曲率半径を、前記大径凹円弧部の端から中央に向かうに連れて大きくなるように変化させた、ことを特徴とする化粧料用スパチュラ。
【考案の詳細な説明】
【技術分野】
【０００１】
本考案は、粘稠性を有する液体状の化粧料を身体に塗布するための化粧料用スパチュラに関する。
【背景技術】
【０００２】
化粧料用スパチュラ（以下、単に「スパチュラ」という。）として、たとえば、特許文献１〜特許文献４に開示されたものがある。
【０００３】
特許文献１のスパチュラは、扁平なチップ状に形成されていて、化粧料とともに容器内に収容される。このスパチュラの長手方向の一半部には、へら部が設けられ、他半部には、摘まみ部が設けられている。
【０００４】
特許文献２のスパチュラは、スプーン状に形成されている。このスパチュラの長手方向の一端部には、へら部が設けられている。
【０００５】
特許文献３のスパチュラは、Ｓ字に彎曲した長さのある薄板状に形成されている。このスパチュラの一方の長手側縁には、大径凸円弧状のへら部と小径凹円弧状のへら部とが設けられ、他方の長手側縁には、大径凹円弧状のへら部と小径凸円弧状のへら部とが設けられている。凸円弧状のへら部は、硬質樹脂から成り、除毛剤を腕や足に塗布する際に用いられる。凹円弧状のへら部は、軟質樹脂から成り、除毛剤を腕や足から除去する際に用いられる。
【０００６】
特許文献４のスパチュラは、ブーメラン状に形成されていて、化粧料とともに容器内に収容される。このスパチュラの長手方向の一端部には、掬い部が設けられ、他端部には、細い尾状の把持部が設けられている。このスパチュラの外側湾曲縁は、スパチュラを収容する中蓋の内周縁に沿うように凸状に曲げられている。
【０００７】
特許文献１、特許文献２、および特許文献４のようなスパチュラは、容器内から化粧料を掬うには適しているが、化粧料を身体に塗るには適していない。特許文献３のようなスパチュラは、腕や脚に化粧料を塗るには適しているが、複雑な凹凸のある顔などに化粧料を塗るには適していない。
【先行技術文献】
【特許文献】
【０００８】
【特許文献１】特開２０１１−２３４７６３号公報
【特許文献２】特開２００４−２０１９７０号公報
【特許文献３】特開２００７−１８５２１６号公報
【特許文献４】特開２００７−２２２１９３号公報
【考案の概要】
【考案が解決しようとする課題】
【０００９】
本考案の課題は、粘稠性を有する液体状の化粧料を掬って、全身に塗るのに適した化粧料用スパチュラを提供することである。
【課題を解決するための手段】
【００１０】
本考案に係る化粧料用スパチュラは、三角形状の薄板から成り、３つの角を板面と平行な方向にそれぞれ丸めて、３つの小径凸円弧部を設け、全周を板厚方向に丸めている。
【００１１】
上記によると、３つの小径凸円弧部のうち、いずれかの小径凸円弧部を把持して、その他の小径凸円弧部のいずれかにより、粘稠性を有する液体状の化粧料を掬って、顔などの複雑な凹凸があって面積の狭い部位に、化粧料を満遍なく塗ることができる。また、３つの辺のいずれかにより、腕や脚やボディなどの面積の広い部位に化粧料を満遍なく塗ることができる。さらに、全周を板厚方向に丸めているので、いずれの部分を肌に接触させても、肌への刺激を少なくすることができる。よって、本考案の化粧料用スパチュラは、粘稠性を有する液体状の化粧料を掬って、全身に塗るのに適している。
【００１２】
また、本考案では、上記化粧料用スパチュラにおいて、少なくとも一辺を板面と平行な方向に湾曲させて、大径凹円弧部を設けるのが好ましい。
【００１３】
これにより、ボディや脚や腕などの丸みのある面積の広い部位に、大径凹円弧部をフィットさせて、化粧料を効率よく塗ることができる。
【００１４】
また、本考案では、上記化粧料用スパチュラにおいて、最も長い辺に大径凹円弧部を設けるのが好ましい。
【００１５】
これにより、大径凹円弧部の円弧長が長くなり、ボディや脚や腕などの面積の広い部位に、化粧料をより効率よく塗ることができる。
【００１６】
また、本考案では、上記化粧料用スパチュラにおいて、大径凹円弧部を設けていない二辺が成す角度を鈍角にするのが好ましい。
【００１７】
これにより、大径凹円弧部の円弧長を一層長くすることができ、腕や脚やボディなどの面積の広い部位に、化粧料を一層効率よく塗ることが可能となる。
【００１８】
また、本考案では、上記化粧料用スパチュラにおいて、３つの小径凸円弧部の曲率半径を異ならせるのが好ましい。
【００１９】
これにより、３つの小径凸円弧部の大きさが異なるので、化粧料を塗りたい部位に応じて、小径凸円弧部のいずれかを適宜選択することができる。
【００２０】
さらに、本考案では、上記化粧料用スパチュラにおいて、大径凹円弧部を板厚方向へ丸める場合の曲率半径を、大径凹円弧部の端から中央に向かうに連れて大きくなるように変化させるのが好ましい。
【００２１】
これにより、大径凹円弧部の縁の厚みが端から中央に向かうに連れて厚くなるので、ボディや脚や腕などの部位に大径凹円弧部を斜めに当てて、化粧料を塗る際に、大径凹円弧部の中央を肌に確実に接触させることができる。また、大径凹円弧部の中央を支点として、大径凹円弧部の端を肌に接触させて、化粧料を塗り易くすることができる。
【考案の効果】
【００２２】
本考案によれば、粘稠性を有する液体状の化粧料を掬って、全身に塗るのに適した化粧料用スパチュラを提供することが可能となる。
【図面の簡単な説明】
【００２３】
【図１】本考案の一実施形態による化粧料用スパチュラの正面図である。
【図２】図１のＲ矢視図である。
【図３】図１のＬ矢視図である。
【図４】図１のＵ矢視図である。
【図５】図１のＤ矢視図である。
【図６】図１のＡ−Ａ断面図である。
【考案を実施するための形態】
【００２４】
以下、本考案の実施形態につき、図面を参照しながら説明する。各図において、同一の部分または対応する部分には、同一符号を付してある。
【００２５】
まず、本考案の一実施形態による化粧料用スパチュラ１の構造を、図１〜図６を参照しながら説明する。
【００２６】
）
化粧料用スパチュラ１は、図１に示すように、三角形状の薄板から成る。化粧料用スパチュラ１は、硬質の合成樹脂（例えば、ＡＢＳ樹脂）製で、表裏対称に形成されている。
【００２７】
化粧料用スパチュラ１では、３つの角を板面と平行な方向にそれぞれ丸めて、３つの小径凸円弧部２〜４を設けている。小径凸円弧部２〜４の曲率半径は異なっている。小径凸円弧部２、小径凸円弧部３、小径凸円弧部４の順で、曲率半径は大きくなっている。
【００２８】
化粧料用スパチュラ１の三辺５〜７の長さは異なっている。そのうち、最も長い一辺５を板面と平行な方向に湾曲させて、大径凹円弧部５を設けている。大径凹円弧部５の曲率半径は、小径凸円弧部２〜４の曲率半径より大幅に大きくなっている。たとえば、大径凹円弧部５の曲率半径は、小径凸円弧部２、３の曲率半径の十数倍になっている。
【００２９】
化粧料用スパチュラ１の大径凹円弧部５を設けていない二辺６、７は、直線状になっている。この二辺６、７の成す角度θは、鈍角になっている（９０°＜θ＜１８０°）。
【００３０】
化粧料用スパチュラ１の全周は、図２〜図６に示すように、板厚方向に丸められている。つまり、化粧料用スパチュラ１の縁は角張っていない。
【００３１】
大径凹円弧部５、小径凸円弧部２、４、および辺６、７では、縁に向かうに連れて細くなるように、表裏両板面に勾配が付けられている。つまり、大径凹円弧部５、小径凸円弧部２、４、および辺６、７は、へら状（先細り状）になっている。小径凸円弧部３は、射出成形時に金型のゲートが位置するため、図２に示すように肉厚となっている。ゲートを別位置とすることで、小径凸円弧部３も、小径凸円弧部２、４などと同様にへら状にしてもよい。また、化粧料用スパチュラ１は、全体として表裏両側に膨らんだ凸レンズ状になっている。
【００３２】
大径凹円弧部５を板厚方向へ丸める場合の曲率半径は、図２および図４に示すように、大径凹円弧部５の両端５ｓから中央５ｃに向かうに連れて大きくなるように、徐々に変化している。中央５ｃの曲率半径は、両端５ｓの曲率半径の２倍になっている。
【００３３】
次に、化粧料用スパチュラ１の使用例を説明する。
【００３４】
たとえば、パック用のクリームなどのような、粘稠性を有する液体状の化粧料が円筒状の容器に収容されている場合は、化粧料用スパチュラ１の３つの小径凸円弧部２〜４のうち、いずれかの小径凸円弧部を手で把持して、その他の小径凸円弧部のいずれかにより、容器内から化粧料を掬い取る。
【００３５】
その際、化粧料用スパチュラ１の長手方向にある小径凸円弧部２、３のうち、一方を把持して、他方を容器内に挿入することで、容器内が深くても、化粧料を掬い取り易くすることができる。また、最も短い辺６と連続した小径凸円弧部２を把持して、辺７と連続した小径凸円弧部３を容器内に挿入することで、容器の内径が小さくても、化粧料を掬い取り易くすることができる。さらに、容器の内側面に付着した化粧料は、大径凹円弧部５または辺６、７で掻き集めて、容器内から掬い取ることができる。
【００３６】
化粧料を顔などの複雑な凹凸のある面積の狭い部位に塗る場合は、小径凸円弧部２〜４のいずれかにより、掬い取った化粧料を肌に塗り広げて行く。また、大径凹円弧部５または辺６、７により、化粧料を肌に塗り広げて行ってもよい。その際、化粧料用スパチュラ１を肌に対して斜めに当てることで、化粧料を肌に塗り易くすることができる。
【００３７】
化粧料を腕や脚やボディなどの面積の広い部位に塗る場合は、小径凸円弧部２〜４のいずれかにより掬い取った化粧料を肌に付けた後、大径凹円弧部５または辺６、７のいずれかにより化粧料を肌に塗り広げて行く。特に、ボディや脚や腕などの丸みのある面積の広い部位に化粧料を塗る場合は、当該部位に大径凹円弧部５をフィットさせて、大径凹円弧部５により化粧料を肌に塗り広げて行くと、効率がよい。
【００３８】
その際、化粧料用スパチュラ１を肌に対して斜めに当てることで、化粧料を肌に塗り易くすることができる。また、化粧料用スパチュラ１の表裏いずれかの板面を使って、肌に塗った化粧料を延ばしたり均したりしてもよい。さらに、小径凸円弧部２〜４のいずれかにより、化粧料を肌に塗ってもよい。
【００３９】
化粧料を塗り終わると、化粧料用スパチュラ１を水やお湯などで洗浄して、化粧料を除去する。これにより、化粧料用スパチュラ１を何度も繰り返し使用することができる。
【００４０】
上記実施形態によると、化粧料用スパチュラ１の３つの小径凸円弧部２〜４のうち、いずれかの小径凸円弧部を把持して、その他の小径凸円弧部のいずれかにより化粧料を掬うことができる。
【００４１】
また、小径凸円弧部２〜４のいずれかにより、顔などの複雑な凹凸があって面積の狭い部位に、化粧料を満遍なく塗ることができる。また、小径凸円弧部２〜４の曲率半径が異なっているので、小径凸円弧部２〜４の大きさも異なり、化粧料を塗りたい部位に応じて、小径凸円弧部２〜４のいずれかを適宜選択することができる。
【００４２】
また、化粧料用スパチュラ１の３つの辺５〜７のいずれかにより、腕や脚やボディなどの面積の広い部位に、化粧料を満遍なく塗ることができる。特に、ボディや脚や腕などの丸みのある面積の広い部位に化粧料を塗る場合は、当該部位に大径凹円弧部５をフィットさせて、化粧料を効率よく塗ることができる。
【００４３】
また、化粧料用スパチュラ１の最も長い辺に大径凹円弧部５を設けているので、大径凹円弧部５の円弧長を長くすることができる。特に、大径凹円弧部５を設けていない二辺６、７が成す角度θを鈍角にしているので、大径凹円弧部５の円弧長を一層長くすることができる。このため、大径凹円弧部５により、ボディや脚や腕などの面積の広い部位に、化粧料を一層効率よく塗ることができる。
【００４４】
また、化粧料用スパチュラ１の全周を板厚方向に丸めているので、化粧料用スパチュラ１のいずれの部分を肌に接触させても、肌への刺激を少なくすることができる。
【００４５】
また、大径凹円弧部５を板厚方向へ丸める場合の曲率半径を、大径凹円弧部５の端５ｓから中央５ｃに向かうに連れて大きくなるように変化させているので、大径凹円弧部５の縁の厚みを端５ｓから中央５ｃに向かうに連れて厚くすることができる。このため、ボディや脚や腕などの部位に大径凹円弧部５を斜めに当てて、化粧料を塗る際に、大径凹円弧部５の中央５ｃを肌に確実に接触させることができる。また、中央５ｃを支点として、両端５ｓまたは一方の端５ｓを肌に接触させて、化粧料を塗り易くすることができる。
【００４６】
また、化粧料用スパチュラ１を表裏対称な形状にしているので、左右どちらの手や指でも同様に使用することができる。また、化粧料用スパチュラ１を硬質の合成樹脂で形成しているので、腐食や変形を防止することができる。
【００４７】
さらに、大径凹円弧部５、小径凸円弧部２、４、および辺６、７では、表裏両板面に勾配を付けて、先細り状にしていて、化粧料用スパチュラ１を表裏両側に膨らんだ凸レンズ状にしている。このため、化粧料用スパチュラ１を平坦面に置いても、化粧料用スパチュラ１の縁が平坦面から浮いた状態となり、化粧料用スパチュラ１を掴み易くすることができる。
【００４８】
以上より、化粧料用スパチュラ１は、粘稠性を有する液体状の化粧料を掬って、全身に塗るのに適している。
【００４９】
本考案は、上述した以外にも種々の実施形態を採用することができる。たとえば、上記実施形態では、三角形状の化粧料用スパチュラ１の一辺に、大径凹円弧部５を設けた例を挙げたが、本考案はこれに限るものではない。これ以外に、たとえば、化粧料用スパチュラ１の二辺または全辺に大径凹円弧部を設けるようにしてもよい。また、大径凹円弧部を複数設けた場合、大径凹円弧部の曲率半径や円弧長は、全てまたは一部で同一でもよいし、異なっていてもよい。
【００５０】
また、上記実施形態では、３つの小径凸円弧部２〜４の曲率半径が異なる例を挙げたが、本考案はこれに限るものではない。これ以外に、たとえば、３つの小径凸円弧部の全てまたはいずれか２つの曲率半径を同一にしてもよい。
【００５１】
また、上記実施形態では、化粧料用スパチュラ１の三辺の長さが異なる例を挙げたが、本考案はこれに限るものではない。これ以外に、たとえば、化粧料用スパチュラの三辺の全てまたはいずれか二辺の長さを同一にしてもよい。また、化粧料用スパチュラの各辺が成す３つの角の角度を、全てまたはいずれか２つで同一にしてもよいし、全てを鋭角（９０°未満）にしてもよいし、いずれか１つを直角にしてもよい。
【００５２】
また、上記実施形態では、大径凹円弧部５を板厚方向へ丸める場合の曲率半径を、両端５ｓから中央５ｃに向かうに連れて大きくなるように変化させた例を挙げたが、本考案はこれに限るものではない。これ以外に、たとえば、大径凹円弧部を板厚方向へ丸める場合の曲率半径を、一定にしたり、大径凹円弧部の両端から中央に向かうに連れて小さくなるように変化させたり、大径凹円弧部の一方の端から他方の端に向かうに連れて大きくなるように変化させたりしてもよい。また、小径凸円弧部２〜４や他の辺６、７についても同様に、板厚方向へ丸める場合の曲率半径を周方向へ徐々に変化させてもよい。
【００５３】
さらに、上記実施形態では、円筒状の容器に入ったパック用のクリームなどの化粧料を掬って、全身に塗るために、化粧料用スパチュラ１を使用した例を挙げたが、本考案はこれに限るものではない。これ以外に、たとえば、皿状やチューブ状や袋状など、種々の形状の容器に入った化粧料を掬って肌に塗るために、化粧料用スパチュラ１は使用することができる。また、クリーム状、ペースト状、ジェル状、泡状、または液状などの剤型をした、粘稠性を有する液体状の化粧料を肌に塗るために、化粧料用スパチュラ１は使用することができる。
【符号の説明】
【００５４】
１  化粧料用スパチュラ
２  小径凸円弧部
３  小径凸円弧部
４  小径凸円弧部
５  大径凹円弧部
５ｃ  大径凹円弧部の中央
５ｓ  大径凹円弧部の端
６  大径凹円弧部を設けていない辺
７  大径凹円弧部を設けていない辺
θ  大径凹円弧部を設けていない二辺が成す角度
【図１】
0003174503.tif 000003
【図２】
0003174503.tif 000004
【図３】
0003174503.tif 000005
【図４】
0003174503.tif 000006
【図５】
0003174503.tif 000007
【図６】
0003174503.tif 000008